(57)【特許請求の範囲】
【請求項１】
飯容器と惣菜容器を外装ケースに取出し自在に収納して成る携帯用保温ジャーにおいて、
前記飯容器(2)及び惣菜容器(3)は、平面視を横長とされ、飯容器(2)の上に惣菜容器(3)を積層した状態で外装ケース(5)に収納され、
前記飯容器(2)は、断熱構造の容器本体(6)と、該容器本体の上部開口部を開閉自在に施蓋する断熱構造の上蓋(7)とから成り、容器本体に上蓋を施蓋した状態で内ケース(11)に取出し自在に収納され、
前記内ケース(11)は、断熱構造とされた上部壁(12)の周縁から断熱構造とされた周壁(13)を垂設することにより下部開口部を有する断熱収納室(14)を形成する柔軟な可撓性を有する袋本体(15)と、該袋本体の下部開口部を開閉自在に施蓋する下蓋(16)を備え、
前記飯容器(2)の上蓋(7)を袋本体(15)の上部壁(12)に臨ませ、飯容器(2)の容器本体(6)の底部(6b)を下蓋(16)に臨ませた状態で、該飯容器(2)を内ケース(11)に密着抱持されるように収納し、上部壁(12)を上向きとして内ケース(11)を外装ケース(5)に収納して成ることを特徴とする携帯用保温ジャー。
【請求項２】
前記内ケース(11)は、袋本体(15)の断熱収納室(14)に臨んで対向する周壁(13)の第１壁部(13a)と第２壁部(13b)に関して、第１壁部(13a)の内側に固着された基端部(24)と、該基端部から延設されて上部壁(12)の内側と第２壁部(13b)の内側に沿う中間部(25,26)と、該中間部から延設されて下蓋(16)の内側に沿う先端部(27)を有する可撓性の長尺体(22)を備えて成ることを特徴とする請求項１に記載の携帯用保温ジャー。
【請求項３】
前記内ケース(11)の下蓋(16)は、袋本体(15)の下部開口部の外周縁に外嵌させられる被覆周壁(18)を備え、前記下部開口部の外周部と被覆周壁(18)の内周部を相互に着脱自在とする面ファスナー(20,21)を周設しており、
前記長尺体(22)の先端部(27)は、前記下部開口部の外周縁と被覆周壁の間を挿通して内ケースの外側に延びる把持部(28)を備えて成ることを特徴とする請求項２に記載の携帯用保温ジャー。
【請求項４】
前記内ケース(11)の下蓋(16)は袋本体(15)の第２壁部(13b)にヒンジ(19)を介して結合され、前記把持部(28)は袋本体(15)の第１壁部(13a)の外側に向けて延設されており、前記把持部(28)を下向きに引っ張ることにより面ファスナー(20,21)を離反させるように構成して成ることを特徴とする請求項３に記載の携帯用保温ジャー。
【請求項５】
袋本体(15)の上部における前記把持部(28)に対向する部位に摘み片(29)を設けて成ることを特徴とする請求項２、３又は４に記載の携帯用保温ジャー。
【発明の詳細な説明】
【技術分野】
【０００１】
本発明は、携帯用保温ジャーに関し、特に、断熱構造を有する飯容器と断熱構造を有しない惣菜容器を組み合わせて外ケースに収納する構成において、飯容器の保温性等を改善した携帯用保温ジャーに関する。
【背景技術】
【０００２】
従来、円柱状の外装ケースに円柱状の飯容器と惣菜容器を積層した状態で収納する携帯用保温ジャー（以下、「縦置式の保温ジャー」という。）が公知であるが、全体として嵩張るという問題がある。
【０００３】
そこで、近年、飯容器と惣菜容器を横方向に隣接させた状態で外装ケースに収納する携帯用保温ジャー（以下、「横置式の保温ジャー」という。）が好評を博している。
【０００４】
一般的に、飯容器は、米飯を長時間保温する必要があるため、真空二重容器から成る断熱構造の容器本体と、該容器本体の上部開口部を開閉自在に施蓋する断熱構造の上蓋を備えている。これに対して、惣菜容器は、断熱構造を有しない。
【０００５】
外装ケースは、携帯に便利としたポーチ等により構成され、断熱構造を備えているが、屋外に携帯される関係上、飯容器の放熱を完全に阻止することはできない。
【０００６】
このため、飯容器の保温性を向上させるため、飯容器の上蓋から容器本体の上部開口部の外周を被う保温キャップを設けたものが提案されている。
【先行技術文献】
【特許文献】
【０００７】
【特許文献１】登録実用新案第３１００２１０号公報
【特許文献２】特許第４３０１２０４号公報
【発明の概要】
【発明が解決しようとする課題】
【０００８】
従来の横置式の携帯用保温ジャーは、全体として従来の縦置式の保温ジャーよりも嵩が小さいが、外装ケースの外形が横長に形成されているので、鞄等のバッグに入れて携帯するためには、必ずしも使い勝手が良くない。
【０００９】
そこで、本発明者は、飯容器及び惣菜容器を平面視で横長となるように形成し、飯容器の上に惣菜容器を積層した状態で外装ケースに収納する携帯用保温ジャー（以下、「新縦置式の保温ジャー」という。）を提供すれば、外装ケースが所謂ブック形となるので、鞄等のバッグに入れて携帯するための使い勝手が良くなることを知見した。
【００１０】
ところが、このような新縦置式の保温ジャーの場合、熱い米飯を収納した飯容器の上に惣菜容器が積層されているので、米飯の熱が惣菜に影響して腐敗を招くおそれがあり、この点を解決しなければならない課題がある。
【００１１】
この点に関し、飯容器の保温性と断熱性を向上させるためには、特許文献１のような保温キャップが参考になるが、横置式の保温ジャーとした特許文献１の場合には問題ないが、新縦置式の保温ジャーの場合は、保温キャップを通過した熱が上昇して惣菜容器に悪影響を与える可能性がある。
【００１２】
このため、本発明は、新縦置式の保温ジャーに特有の問題を解決し、飯容器の単なる断熱保温性だけでなく、その上に積層される惣菜容器に対する熱影響を完全に遮断できるようにした携帯用保温ジャーの提供を課題とする。
【００１３】
更に、本発明は、飯容器の放熱を完全に遮断するための内ケースを提供し、その際、該内ケースに収納した飯容器の取出し作業を容易に行い得るように構成した携帯用保温ジャーの提供を課題とする。
【課題を解決するための手段】
【００１４】
本発明は、上記課題を解決した携帯用保温ジャーを提供するものであり、その手段として構成したところは、飯容器と惣菜容器を外装ケースに取出し自在に収納して成る携帯用保温ジャーにおいて、前記飯容器及び惣菜容器は、平面視を横長とされ、飯容器の上に惣菜容器を積層した状態で外装ケースに収納され、前記飯容器は、断熱構造の容器本体と、該容器本体の上部開口部を開閉自在に施蓋する断熱構造の上蓋とから成り、容器本体に上蓋を施蓋した状態で内ケースに取出し自在に収納され、前記内ケースは、断熱構造とされた上部壁の周縁から断熱構造とされた周壁を垂設することにより下部開口部を有する断熱収納室を形成する柔軟な可撓性を有する袋本体と、該袋本体の下部開口部を開閉自在に施蓋する下蓋を備え、前記飯容器の上蓋を袋本体の上部壁に臨ませ、飯容器の容器本体の底部を下蓋に臨ませた状態で、該飯容器を内ケースに密着抱持されるように収納し、上部壁を上向きとして内ケースを外装ケースに収納して成る点にある。
【００１５】
本発明の好ましい実施形態において、前記内ケースは、袋本体の断熱収納室に臨んで対向する周壁の第１壁部と第２壁部に関して、第１壁部の内側に固着された基端部と、該基端部から延設されて上部壁の内側と第２壁部の内側に沿う中間部と、該中間部から延設されて下蓋の内側に沿う先端部を有する可撓性の長尺体を備えている。
【００１６】
本発明の更に好ましい実施形態において、前記内ケースの下蓋は、袋本体の下部開口部の外周縁に外嵌させられる被覆周壁を備え、前記下部開口部の外周部と被覆周壁の内周部の相互を着脱自在とする面ファスナーを周設しており、前記長尺体の先端部は、前記下部開口部の外周縁と被覆周壁の間を挿通して内ケースの外側に延びる把持部を備えている。
【００１７】
前記内ケースの下蓋を袋本体の第２壁部にヒンジを介して結合し、前記把持部を袋本体の第１壁部の外側に向けて延設し、前記把持部を下向きに引っ張ることにより面ファスナーを離反させるように構成することが好ましい。更に、袋本体の上部における前記把持部に対向する部位に摘み片を設けることが好ましい。
【発明の効果】
【００１８】
請求項１に記載の本発明によれば、「新縦置式の保温ジャー」を構成しており、それぞれ平面視を横長に形成した飯容器２と惣菜容器３を収納する外装ケースが所謂ブック形となるので、鞄等のバッグに入れて携帯するための使い勝手が良い携帯用保温ジャーを提供することができる。
【００１９】
そして、飯容器２に収納した米飯の保温性に関して、飯容器２は、容器本体６の開口縁６ａの近傍部から米飯の熱を放熱することが不可避な構造であるが、本発明によれば、飯容器２の全周を断熱保温性の高い内ケース１１により、密着状態で抱持する構成であるから、米飯の放熱を可及的抑制する。
【００２０】
特に、内ケース１１は、下蓋１６により施蓋される開口部を下側に形成し、上側に一連かつ一体的に形成した断熱保温性の高い柔軟な可撓性を有する袋本体１５の上部壁１２及び周壁１３により、飯容器２の上蓋７と容器本体６の開口縁６ａから底部６ｂの近傍に至る外周部を密着状態で抱持するため、仮に、容器本体６の薄い開口縁６ａの熱伝導により米飯の熱が放出しようとしても、完全に放熱を遮断し、長時間にわたり米飯の保温状態を維持できるという効果がある。
【００２１】
請求項２に記載の本発明によれば、袋本体１５の断熱収納室１４に長尺体２２を設けているので、飯容器２を柔軟な可撓性を有する袋本体１５に密着状態で抱持させた構成でありながら、袋本体１５から飯容器２の取出しを容易に行うことができる効果がある。
【００２２】
この際、請求項３及び請求項４に記載の本発明によれば、袋本体１５の下部開口部を施蓋する下蓋１６を面ファスナー２０、２１で着脱自在に固着した状態で、長尺体２２が面ファスナー２０、２１の間を挿通して外側に延びる把持部２８を設けているので、該把持部２８を下向きに強く引っ張るだけで、簡単容易に下蓋１６を開放することができる。即ち、面ファスナー２０、２１は、把持部２８を挿通させた部位に固着されていない非固着部を形成しているので、把持部２８を下向きに強く引っ張ると、前記非固着部を成長させるようにして面ファスナー２０、２１を周方向に向けて離脱させ、離脱後も更に把持部２８を下向きに引っ張るだけで、下蓋１６を簡単に開放することができる。
【００２３】
そして、下蓋１６の開放後、更に引き続いて長尺体２２の把持部２８又は先端部２４の任意の部位を下向きに引っ張ることにより、飯容器２を袋本体１５の下部開口部から簡単容易に引出すことができる。従って、ユーザは、袋本体１５に密着状態で抱持された飯容器２を取出すために、掴み難い容器本体６の底部６ｂの近傍を指先等で把持して引き出すという困難な作業を必要とせず、長尺体２２を引っ張る簡単な作業で飯容器２を袋本体１５から容易に取出すことができる。
【００２４】
更に、請求項５に記載の本発明によれば、ユーザは、片手で摘み片２９を把持し、別の片手で長尺体２２を引っ張ることができるので、下蓋１６の開放作業と飯容器２の取出し作業を容易に行うことができる。
【図面の簡単な説明】
【００２５】
【図１】本発明に係る携帯用保温ジャーの１実施形態を示す斜視図である。
【図２】本発明に係る携帯用保温ジャーの１実施形態を示す縦断図である。
【図３】内ケースを示す斜視図である。
【図４】（Ａ）は飯容器を収納した内ケースを示す縦断面図、（Ｂ）は飯容器を示す縦断面図である。
【図５】図４（Ａ）のＡ−Ａ線断面図である。
【図６】内ケースの下蓋を開放した状態を示す縦断面図である。
【図７】内ケースの袋本体から飯容器を取出した状態を示す縦断面図である。
【発明を実施するための形態】
【００２６】
以下図面に基づいて本発明の好ましい実施形態を詳述する。
【００２７】
図１及び図２に示すように、携帯用保温ジャー１は、飯容器２と、惣菜容器３、３と、箸箱４を外装ケース５に取出し自在に収納している。前記飯容器２及び惣菜容器３、３は、平面視を横長とされ、飯容器２の上に惣菜容器３、３を積層した状態で外装ケース５に収納するように構成され、外装ケース５は、鞄等のバッグに入れて携帯するための使い勝手が良い所謂ブック形に形成されている。これにより、携帯用保温ジャー１は、上述したような「新縦置式の保温ジャー」を提供する。
【００２８】
図１に示すように、外装ケース５は、ブック形とされた箱状のケース本体５ａの正面壁により開閉蓋５ｂを構成し、該開閉蓋５ｂをジッパー式の着脱手段６によりケース本体５ａに固着することにより開閉自在に施蓋している。開閉蓋５ｂは、開蓋時にヒンジ部５ｃを介して反転することにより、ケース本体５ａの正面部を開放する。
【００２９】
前記飯容器２は、図２及び図４（Ｂ）に示すように、ステンレス製の真空二重容器により形成された断熱構造の容器本体６と、該容器本体６の上部開口部を開閉自在に施蓋する断熱構造の上蓋７を備えており、高温の米飯を収納するように構成されている。上蓋７は、中空内部に断熱材を装填した合成樹脂製の蓋体を構成し、栓部７ａを容器本体６の開口部に密嵌されると共に、パッキンにより容器本体６の開口縁６ａを密閉する。従って、飯容器２は、米飯を断熱保温状態で収納するが、図示のように、容器本体６の開口縁６ａの近傍部は、真空二重容器の接合部により薄く形成されているため、この部分から徐々ではあるが米飯の放熱が不可避とされる。
【００３０】
前記惣菜容器３は、図２に示すように、断熱構造を有しない容器本体８と、該容器本体８の上部開口部を開閉自在かつ密閉可能に施蓋する断熱構造を有しない蓋体９を備えており、惣菜、つまり、おかず類を収納するように構成されている。惣菜容器３は、断熱構造を有しないため、加熱調理された惣菜を放熱により冷まし、常温に保持する。従って、惣菜容器３に収納された惣菜は、外部からの熱影響を受けやすい。図例の場合、２個の惣菜容器３、３が飯容器２の上に積層された状態で外装ケース５に収納されるが、その個数は問わない。
【００３１】
箸箱４は、図２に示すように、飯容器２と惣菜容器３の積層体の側部に縦向きとして配置され、固定バンド１０により着脱自在に固定される。固定バンド１０は、例えば、弾性的に伸縮自在なバンドの両端を外装ケース５の内側に固着しており、該固定バンド１０の両端の間に箸箱４を挿入した状態で、箸箱４の外周面を弾着する。
【００３２】
図２、図３、図４（Ａ）、図５に示すように、飯容器２は、容器本体６に上蓋７を施蓋した状態で内ケース１１に取出し自在に収納されている。内ケース１１は、収納した飯容器２の全外周面を密着状態で抱持するように構成され、従って、飯容器２と同様に平面視で横長となるような形態に形成されている。
【００３３】
内ケース１１は、断熱構造とされた上部壁１２の周縁から断熱構造とされた周壁１３を垂設することにより下部開口部を有する断熱収納室１４を形成する袋本体１５と、該袋本体１５の下部開口部を開閉自在に施蓋する下蓋１６を備えている。
【００３４】
図示省略しているが、袋本体１５は、布製の２枚の生地の間に断熱ファイバー等の断熱材を挟んで縫合された柔軟な可撓性の断熱素材により上部壁１２及び周壁１３を一連一体に縫製することにより構成されている。下蓋１６は、袋本体１５と同様の断熱素材を縫製することにより構成しても良いが、必ずしも高い断熱性は要求されず、通常の断熱性を有しておれば良く、袋本体１５の下部開口部を施蓋する平板部１７と、該平板部１７の周縁に起立させられた帯状の被覆周壁１８を備えている。
【００３５】
平面視を横長とする袋本体１５の周壁１３のうち横長となる壁部のうち、断熱収納室１４に臨んで対向する一対の第１壁部１３ａと第２壁部１３ｂに関して、図５に示すように、下蓋１６は、第２壁部１３ｂに帯状のヒンジ１９を介して結合され、前記被覆周壁１８を袋本体１５の下部開口部の外周縁に外嵌させたとき、該下部開口部の外周部と被覆周壁１８の内周部を相互に着脱自在とする面ファスナー２０、２１を周設している。図例の場合、前記ヒンジ１９に臨む部分を除いて、袋本体１５の下部開口部の外周部と、被覆周壁１８の内周部に、周方向に延びる面ファスナー２０、２１を固着している。
【００３６】
そこで、内ケース１１は、図４（Ａ）及び図５に示すように、飯容器２の上蓋７を袋本体１５の上部壁１２に臨ませ、飯容器２の容器本体６の底部６ｂを下蓋１６に臨ませた姿勢で、該飯容器２を密着抱持状態として収納し、このように飯容器２を収納した状態で、図２に示すように、惣菜容器３の下側に位置して外装ケース５に収納される。従って、飯容器２は、それ自体は容器本体６の開口縁６ａの近傍部から米飯の熱を放熱することが不可避な構造とされているが、該飯容器２の全周を断熱保温性の高い内ケース１１により密着状態で抱持されているので、米飯の放熱が可及的抑制される。
【００３７】
特に、内ケース１１は、下蓋１６により施蓋される開口部を下側に形成し、上側に一連かつ一体的に形成した断熱保温性の高い袋本体１５の上部壁１２及び周壁１３により、飯容器２の上蓋７と容器本体６の開口縁６ａから底部６ｂの近傍に至る外周部を密着状態で抱持するので、仮に、容器本体６の薄い開口縁６ａの熱伝導により米飯の熱が放出しようとしても、完全に放熱を遮断し、長時間にわたり米飯の保温状態を維持できる。因みに、袋本体１５は、下部開口部を下蓋１６で施蓋する構成であるから、下側における断熱保温性が上側よりも劣っているが、飯容器２は、容器本体６の底部６ｂとその近傍部では、真空二重容器の分厚い断熱壁により高い断熱構造となるように構成されているので、その部分から米飯の熱が放熱されることはない。
【００３８】
この点に関して、図面では、飯容器２の外周と袋本体１５の間に隙間が表れるが、上述のように、袋本体１５は、布製の２枚の生地の間に断熱ファイバー等の断熱材を挟んで縫合された柔軟な可撓性の断熱素材を縫製することにより形成されており、飯容器２を断熱収納室１４に押し込んで上部壁１２及び周壁１３に密着させるものであるから、本発明において、実際には図示のような隙間は表れないと理解されたい。
【００３９】
図３、図４（Ａ）、図５に示すように、内ケース１１は、袋本体１５の断熱収納室１４に可撓性の長尺体２２を設けている。長尺体２２は、例えば、布製とされた１本のテープ生地により構成され、袋本体１５の下部開口部に近傍する位置で第１壁部１３ａの内側に逢着等の固着部２３を介して固着されると共に上部壁１２に向けて延びる基端部２４と、そこから上部壁１２に沿って第２壁部１３ｂに向けて延びる第１中間部２５と、そこから第２壁部１３ｂに沿って下部開口部に向けて延びる第２中間部２６と、そこから下蓋１６の内側に沿って第１壁部１３ａに向けて延びる先端部２７を備えており、先端部２４は、下部開口部の外周面に固着された面ファスナー２１と被覆周壁１８の内周面に固着された面ファスナー２０の間を挿通して内ケース１１の外側に延びる把持部２８を設けている。
【００４０】
従って、面ファスナー２０、２１は、前記長尺体２２の先端部２４を挿通させた部分では固着されないが、袋本体１５の下部開口縁と被覆周壁１８の周方向に連続して設けられているので、全体として被覆周壁１８を袋本体１５の下部開口縁に着脱自在に固着することが可能である。
【００４１】
更に、袋本体１５の上部には、例えば布製のテープ生地等により形成された摘み片２９が逢着等により固着されている。摘み片２９の固着個所は、前記把持部２８に対向する位置が好ましく、図例の場合、上部壁１２と周壁１３のコーナー部分としているが、上部壁１２の上部でも良く、周壁１３の上端近傍部でも良い。
【００４２】
図６及び図７は、長尺体２２の作用を示している。図５に示すように、飯容器２を袋本体１５に押し込んで収納し、下蓋１６により施蓋した状態で、把持部２８を下向きに強く引っ張ると、図６に示すように、面ファスナー２０、２１を離脱させ、下蓋１６を開くことができる。従って、ユーザは、指先等を被覆周壁１８の内側に挿入し、周方向に面ファスナー２０、２１を離脱させるような煩雑な作業を必要としない。面ファスナー２０、２１は、把持部２８を挿通させた部位に固着されていない非固着部を形成しているので、把持部２８を下向きに強く引っ張ると、前記非固着部を成長させるようにして面ファスナー２０、２１を周方向に向けて離脱させ、離脱後も更に把持部２８を下向きに引っ張ることにより、下蓋１６を開放することができる。
【００４３】
ユーザが把持部２８を下向きに引っ張る際、片手で摘み片２９を把持し、別の片手で把持部２８を引っ張れば、下蓋１６の開放作業が容易となる。
【００４４】
下蓋１６の開放後、更に引き続いて長尺体２２の把持部２８又は先端部２４の任意の部位を下向きに引っ張ると、図７に示すように、飯容器２が袋本体１５の下部開口部に向けて移動し、下部開口部から突出しながら取出される。従って、ユーザは、袋本体１５に密着状態で抱持された飯容器２を取出すために、掴み難い容器本体６の底部６ｂの近傍を指先等で把持して引き出すという困難な作業を必要としない。長尺体２２を引っ張る簡単な作業で飯容器２を袋本体１５から容易に引出すことができる。
【００４５】
この場合も、ユーザは、片手で摘み片２９を把持し、別の片手で長尺体２２を引っ張れば、飯容器２の取出し作業が容易となる。
【００４６】
ユーザが飯容器２に米飯を収納した後、該飯容器２を袋本体１５に収納させる場合は、上述のように断熱収納室１４の内部に長尺体２２を配置した状態で、飯容器２を断熱収納室１４に押し込み、下蓋１６により施蓋すれば良い。
【符号の説明】
【００４７】
１  携帯用保温ジャー
２  飯容器
３  惣菜容器
４  箸箱
５  外装ケース
５ａ  ケース本体
５ｂ  開閉蓋
５ｃ  ヒンジ部
６  容器本体（飯容器）
６ａ  開口縁
６ｂ  底部
７  上蓋
７ａ  栓部
８  容器本体（惣菜容器）
９  蓋体
１０  固定バンド
１１  内ケース
１２  上部壁
１３  周壁
１３ａ  第１壁部
１３ｂ  第２壁部
１４  断熱収納室
１５  袋本体
１６  下蓋
１７  平板部
１８  被覆周壁
１９  ヒンジ
２０、２１  面ファスナー
２２  長尺体
２３  固着部
２４  基端部
２５  第１中間部
２６  第２中間部
２７  先端部
２８  把持部
２９  摘み片
【図１】
0005165074.tif 000002
【図２】
0005165074.tif 000003
【図３】
0005165074.tif 000004
【図４】
0005165074.tif 000005
【図５】
0005165074.tif 000006
【図６】
0005165074.tif 000007
【図７】
0005165074.tif 000008